(57)【要約】  本願の実施例は、データ伝送方法、端末装置及びネットワーク装置を開示し、該方法は、端末装置はネットワーク装置から送信されるＮ（Ｎは１よりも大きい正の整数である）個のアップリンク許可情報を受信することであって、該Ｎ個のアップリンク許可情報は、Ｎ個のアップリンクリソースを指示するために用いられ、該Ｎ個のアップリンクリソースのうち任意の２つのアップリンクリソースは少なくとも部分的に重なり、該Ｎ個のアップリンクリソースのうち任意の２つのアップリンクリソースにそれぞれ対応する少なくとも１つの属性の値は異なることと、該端末装置は、該Ｎ個のアップリンクリソースにそれぞれ対応する該少なくとも１つの属性の優先度に基づき、該Ｎ個のアップリンク許可情報を処理することとを含む。本願の実施例に係る方法、端末装置及びネットワーク装置は、アップリンクデータ伝送の柔軟性の向上に有利である。
2021510240.tif 000002
【特許請求の範囲】
【請求項１】
データ伝送方法であって、
端末装置は、ネットワーク装置から送信されるＮ（Ｎは１よりも大きい正の整数である）個のアップリンク認可情報を受信することであって、前記Ｎ個のアップリンク認可情報は、Ｎ個のアップリンクリソースを指示するために用いられ、前記Ｎ個のアップリンクリソースのうち任意の２つのアップリンクリソースは少なくとも部分的に重なり、前記Ｎ個のアップリンクリソースのうち任意の２つのアップリンクリソースにそれぞれ対応する少なくとも１つの属性の値は異なることと、
前記端末装置は、前記Ｎ個のアップリンクリソースにそれぞれ対応する前記少なくとも１つの属性の優先度に基づき、前記Ｎ個のアップリンク許可情報を処理することとを含むことを特徴とする、前記データ伝送方法。
【請求項２】
前記Ｎ個のアップリンクリソースにそれぞれ対応する前記少なくとも１つの属性は、第１属性をすべて含み、且つ第１属性のみを含み、前記Ｎ個のアップリンクリソースのうち少なくとも２つのアップリンクリソースにそれぞれ対応する第１属性の値は異なり、前記Ｎ個のアップリンクリソースにそれぞれ対応する前記少なくとも１つの属性の優先度は、前記Ｎ個のアップリンクリソースにそれぞれ対応する第１属性の値の優先度であり、前記端末装置は、前記Ｎ個のアップリンクリソースにそれぞれ対応する前記少なくとも１つの属性の優先度に基づき、前記Ｎ個のアップリンク許可情報を処理することは、
前記端末装置は、前記Ｎ個のアップリンクリソースにそれぞれ対応する第１属性の値の優先度に基づき、前記Ｎ個のアップリンク許可情報を処理することを含むことを特徴とする、
請求項１に記載の方法。
【請求項３】
前記第１属性は、伝送時間間隔（ＴＴＩ）の長さであることを特徴とする、
請求項２に記載の方法。
【請求項４】
前記第１属性は、基本ヌメロロジーであることを特徴とする、
請求項２に記載の方法。
【請求項５】
前記第１属性は、アップリンク許可リソースからアップリンクリソースまでの時間間隔であることを特徴とする、
請求項２に記載の方法。
【請求項６】
前記第１属性は、半永続スケジューリング（ＳＰＳ）構成であることを特徴とする、
請求項２に記載の方法。
【請求項７】
前記第１属性は、無線ネットワーク一時識別子（ＲＮＴＩ）であることを特徴とする、
請求項２に記載の方法。
【請求項８】
前記端末装置は、前記Ｎ個のアップリンクリソースにそれぞれ対応する第１属性の値の優先度に基づき、前記Ｎ個のアップリンク許可情報を処理することは、
前記端末装置は、前記Ｎ個のアップリンクリソースにそれぞれ対応する第１属性の値の優先度に基づき、前記Ｎ個のアップリンク許可情報からＯ（Ｏは正の整数で、且つＯはＮ未満である）個のアップリンク認可情報を決定することと、
前記端末装置は、前記Ｏ個のアップリンク許可情報に基づき、前記ネットワーク装置にアップリンクデータを送信することとを含むことを特徴とする、
請求項２〜７のいずれか一項に記載の方法。
【請求項９】
前記Ｎ個のアップリンクリソースにそれぞれ対応する前記少なくとも１つの属性は、第２属性及び第３属性をすべて含み、前記Ｎ個のアップリンクリソースのうち少なくとも２つのアップリンクリソースにそれぞれ対応する第２属性の値は異なり、前記Ｎ個のアップリンクリソースのうち少なくとも２つのアップリンクリソースにそれぞれ対応する第３属性の値は異なり、前記端末装置は、前記Ｎ個のアップリンクリソースにそれぞれ対応する前記少なくとも１つの属性の優先度に基づき、前記Ｎ個のアップリンク許可情報を処理することは、
前記端末装置は、順に前記Ｎ個のアップリンクリソースにそれぞれ対応する第２属性の値の優先度及び前記Ｎ個のアップリンクリソースにそれぞれ対応する第３属性の値の優先度に基づき、前記Ｎ個のアップリンク許可情報を処理することを含むことを特徴とする、
請求項１に記載の方法。
【請求項１０】
前記第２属性は、伝送時間間隔（ＴＴＩ）の長さであり、前記第３属性は、基本ヌメロロジーであることを特徴とする、
請求項９に記載の方法。
【請求項１１】
前記第２属性は、伝送時間間隔（ＴＴＩ）の長さであり、前記第３属性は、アップリンク許可リソースからアップリンクリソースまでの時間間隔であることを特徴とする、
請求項９に記載の方法。
【請求項１２】
前記第２属性は、伝送時間間隔（ＴＴＩ）の長さであり、前記第３属性は、半永続スケジューリング（ＳＰＳ）構成であることを特徴とする、
請求項９に記載の方法。
【請求項１３】
前記第２属性は、伝送時間間隔（ＴＴＩ）の長さであり、前記第３属性は、無線ネットワーク一時識別子（ＲＮＴＩ）であることを特徴とする、
請求項９に記載の方法。
【請求項１４】
前記第２属性は、基本ヌメロロジーであり、前記第３属性は、アップリンク許可リソースからアップリンクリソースまでの時間間隔であることを特徴とする、
請求項９に記載の方法。
【請求項１５】
前記第２属性は、基本ヌメロロジーであり、前記第３属性は、半永続スケジューリング（ＳＰＳ）構成であることを特徴とする、
請求項９に記載の方法。
【請求項１６】
前記第２属性は、基本ヌメロロジーであり、前記第３属性は、無線ネットワーク一時識別子（ＲＮＴＩ）であることを特徴とする、
請求項９に記載の方法。
【請求項１７】
前記第２属性は、アップリンク許可リソースからアップリンクリソースまでの時間間隔であり、前記第３属性は、半永続スケジューリング（ＳＰＳ）構成であることを特徴とする、
請求項９に記載の方法。
【請求項１８】
前記第２属性は、アップリンク許可リソースからアップリンクリソースまでの時間間隔であり、前記第３属性は、無線ネットワーク一時識別子（ＲＮＴＩ）であることを特徴とする、
請求項９に記載の方法。
【請求項１９】
前記第２属性は、半永続スケジューリング（ＳＰＳ）構成であり、前記第３属性は、無線ネットワーク一時識別子（ＲＮＴＩ）であることを特徴とする、
請求項９に記載の方法。
【請求項２０】
前記第２属性の優先度は、前記第３属性の優先度よりも高く、前記端末装置は、順に前記Ｎ個のアップリンクリソースにそれぞれ対応する第２属性の値の優先度及び前記Ｎ個のアップリンクリソースにそれぞれ対応する第３属性の値の優先度に基づき、前記Ｎ個のアップリンク許可情報を処理することは、
前記端末装置は、前記Ｎ個のアップリンクリソースにそれぞれ対応する第２属性の値の優先度に基づき、前記Ｎ個のアップリンク許可情報からＭ（Ｍは１よりも大きい正の整数で、且つＭはＮ未満である）個のアップリンク認可情報を決定することと、
前記端末装置は、前記Ｍ個のアップリンク許可情報に一対一対応するＭ個のアップリンクリソースにそれぞれ対応する第３属性の値の優先度に基づき、前記Ｍ個のアップリンク許可情報からＫ（Ｋは正の整数で、且つＫはＭ未満である）個のアップリンク許可情報を決定することであって、前記Ｍ個のアップリンクリソースのうち少なくとも２つのアップリンクリソースにそれぞれ対応する第３属性の値は異なることと、
前記端末装置は、前記Ｋ個のアップリンク許可情報に基づき、前記ネットワーク装置にアップリンクデータを送信することとを含むことを特徴とする、
請求項９〜１９のいずれか一項に記載の方法。
【請求項２１】
前記端末装置は、前記ネットワーク装置から送信される前記複数のアップリンクリソースにそれぞれ対応する前記少なくとも１つの属性の優先度を受信することをさらに含むことを特徴とする、
請求項１〜２０のいずれか一項に記載の方法。
【請求項２２】
前記複数のアップリンクリソースにそれぞれ対応する前記少なくとも１つの属性の優先度は、無線リソース制御（ＲＲＣ）シグナリングに搬送されることを特徴とする、
請求項２１に記載の方法。
【請求項２３】
前記複数のアップリンクリソースにそれぞれ対応する前記少なくとも１つの属性の優先度は、メディアアクセス制御（ＭＡＣ）シグナリングに搬送されることを特徴とする、
請求項２１に記載の方法。
【請求項２４】
前記複数のアップリンクリソースにそれぞれ対応する前記少なくとも１つの属性の優先度は、ダウンリンク制御情報（ＤＣＩ）に搬送されることを特徴とする、
請求項２１に記載の方法。
【請求項２５】
データ伝送方法であって、
ネットワーク装置は、伝送時間間隔（ＴＴＩ）の長さ、基本ヌメロロジー、アップリンク許可リソースからアップリンクリソースまでの時間間隔Ｋ２、半永続スケジューリング（ＳＰＳ）構成及び無線ネットワーク一時識別子（ＲＮＴＩ）のうちの少なくとも１つの属性のそれぞれの値に優先度を割り当てることと、
前記ネットワーク装置は、前記各属性の値の優先度を前記端末装置に送信することとを含むことを特徴とする、前記データ伝送方法。
【請求項２６】
前記各属性の値の優先度は、無線リソース制御（ＲＲＣ）シグナリングに搬送されることを特徴とする、
請求項２５に記載の方法。
【請求項２７】
前記各属性の値の優先度は、メディアアクセス制御（ＭＡＣ）シグナリングに搬送されることを特徴とする、
請求項２５に記載の方法。
【請求項２８】
前記各属性の値の優先度は、ダウンリンク制御情報（ＤＣＩ）に搬送されることを特徴とする、
請求項２５に記載の方法。
【請求項２９】
前記少なくとも１つの属性は複数の属性を含み、前記方法は、
前記ネットワーク装置は、前記複数の属性に優先度を割り当てることと、
前記ネットワーク装置は、前記複数の属性の優先度を前記端末装置に送信することとをさらに含むことを特徴とする、
請求項２５〜２８のいずれか一項に記載の方法。
【請求項３０】
端末装置であって、
ネットワーク装置から送信されるＮ（Ｎは１よりも大きい正の整数である）個のアップリンク認可情報を受信するように構成される受信ユニットであって、前記Ｎ個のアップリンク認可情報はＮ個のアップリンクリソースを指示するために用いられ、前記Ｎ個のアップリンクリソースのうち任意の２つのアップリンクリソースは少なくとも部分的に重なり、前記Ｎ個のアップリンクリソースのうち任意の２つのアップリンクリソースにそれぞれ対応する少なくとも１つの属性の値は異なる受信ユニットと、
前記Ｎ個のアップリンクリソースにそれぞれ対応する前記少なくとも１つの属性の優先度に基づき、前記Ｎ個のアップリンク許可情報を処理するように構成される処理ユニットとを備えることを特徴とする、前記端末装置。
【請求項３１】
前記Ｎ個のアップリンクリソースにそれぞれ対応する前記少なくとも１つの属性は、第１属性をすべて含み、且つ第１属性のみを含み、前記Ｎ個のアップリンクリソースのうち少なくとも２つのアップリンクリソースにそれぞれ対応する第１属性の値は異なり、前記Ｎ個のアップリンクリソースにそれぞれ対応する前記少なくとも１つの属性の優先度は、前記Ｎ個のアップリンクリソースにそれぞれ対応する前記第１属性の優先度であり、前記処理ユニットは具体的には、
前記Ｎ個のアップリンクリソースにそれぞれ対応する第１属性の値の優先度に基づき、前記Ｎ個のアップリンク許可情報を処理するように構成されることを特徴とする、
請求項３０に記載の端末装置。
【請求項３２】
前記第１属性は、伝送時間間隔（ＴＴＩ）の長さであることを特徴とする、
請求項３１に記載の端末装置。
【請求項３３】
前記第１属性は、基本ヌメロロジーであることを特徴とする、
請求項３１に記載の端末装置。
【請求項３４】
前記第１属性は、アップリンク許可リソースからアップリンクリソースまでの時間間隔であることを特徴とする、
請求項３１に記載の端末装置。
【請求項３５】
前記第１属性は、半永続スケジューリング（ＳＰＳ）構成であることを特徴とする、
請求項３１に記載の端末装置。
【請求項３６】
前記第１属性は、無線ネットワーク一時識別子（ＲＮＴＩ）であることを特徴とする、
請求項３１に記載の端末装置。
【請求項３７】
前記処理ユニットは具体的には、
前記Ｎ個のアップリンクリソースにそれぞれ対応する第１属性の値の優先度に基づき、前記Ｎ個のアップリンク許可情報からＯ（Ｏは正の整数で、且つＯはＮ未満である）個のアップリンク許可情報を決定し、
前記Ｏ個のアップリンク許可情報に基づき、前記ネットワーク装置にアップリンクデータを送信するように構成されることを特徴とする、
請求項３１〜３６のいずれか一項に記載の端末装置。
【請求項３８】
前記Ｎ個のアップリンクリソースにそれぞれ対応する前記少なくとも１つの属性は、第２属性及び第３属性をすべて含み、前記Ｎ個のアップリンクリソースのうち少なくとも２つのアップリンクリソースにそれぞれ対応する第２属性の値は異なり、前記Ｎ個のアップリンクリソースのうち少なくとも２つのアップリンクリソースにそれぞれ対応する第３属性の値は異なり、前記処理ユニットは具体的には、
順に前記Ｎ個のアップリンクリソースにそれぞれ対応する第２属性の値の優先度及び前記Ｎ個のアップリンクリソースにそれぞれ対応する第３属性の値の優先度に基づき、前記Ｎ個のアップリンク許可情報を処理するように構成されることを特徴とする、
請求項３０に記載の端末装置。
【請求項３９】
前記第２属性は、伝送時間間隔（ＴＴＩ）の長さであり、前記第３属性は、基本ヌメロロジーであることを特徴とする、
請求項３８に記載の端末装置。
【請求項４０】
前記第２属性は、伝送時間間隔（ＴＴＩ）の長さであり、前記第３属性は、アップリンク許可リソースからアップリンクリソースまでの時間間隔であることを特徴とする、
請求項３８に記載の端末装置。
【請求項４１】
前記第２属性は、伝送時間間隔（ＴＴＩ）の長さであり、前記第３属性は、半永続スケジューリング（ＳＰＳ）構成であることを特徴とする、
請求項３８に記載の端末装置。
【請求項４２】
前記第２属性は、伝送時間間隔（ＴＴＩ）の長さであり、前記第３属性は、無線ネットワーク一時識別子（ＲＮＴＩ）であることを特徴とする、
請求項３８に記載の端末装置。
【請求項４３】
前記第２属性は、基本ヌメロロジーであり、前記第３属性は、アップリンク許可リソースからアップリンクリソースまでの時間間隔であることを特徴とする、
請求項３８に記載の端末装置。
【請求項４４】
前記第２属性は、基本ヌメロロジーであり、前記第３属性は、半永続スケジューリング（ＳＰＳ）構成であることを特徴とする、
請求項３８に記載の端末装置。
【請求項４５】
前記第２属性は、基本ヌメロロジーであり、前記第３属性は、無線ネットワーク一時識別子（ＲＮＴＩ）であることを特徴とする、
請求項３８に記載の端末装置。
【請求項４６】
前記第２属性は、アップリンク許可リソースからアップリンクリソースまでの時間間隔であり、前記第３属性は、半永続スケジューリング（ＳＰＳ）構成であることを特徴とする、
請求項３８に記載の端末装置。
【請求項４７】
前記第２属性は、アップリンク許可リソースからアップリンクリソースまでの時間間隔であり、前記第３属性は、無線ネットワーク一時識別子（ＲＮＴＩ）であることを特徴とする、
請求項３８に記載の端末装置。
【請求項４８】
前記第２属性は、半永続スケジューリング（ＳＰＳ）構成であり、前記第３属性は、無線ネットワーク一時識別子（ＲＮＴＩ）であることを特徴とする、
請求項３８に記載の端末装置。
【請求項４９】
前記第２属性の優先度は、前記第３属性の優先度よりも高く、前記処理ユニットは具体的には、
前記Ｎ個のアップリンクリソースにそれぞれ対応する第２属性の値の優先度に基づき、前記Ｎ個のアップリンク許可情報からＭ（Ｍは１よりも大きい正の整数で、且つＭはＮ未満である）個のアップリンク許可情報を決定し、
前記Ｍ個のアップリンク許可情報に一対一対応するＭ個のアップリンクリソースにそれぞれ対応する第３属性の値の優先度に基づき、前記Ｍ個のアップリンク許可情報からＫ（Ｋは正の整数で、且つＫはＭ未満である）個のアップリンク許可情報を決定し、前記Ｍ個のアップリンクリソースのうち少なくとも２つのアップリンクリソースにそれぞれ対応する第３属性の値は異なり、
前記Ｋ個のアップリンク許可情報に基づき、前記ネットワーク装置にアップリンクデータを送信するように構成されることを特徴とする、
請求項３８〜４８のいずれか一項に記載の端末装置。
【請求項５０】
前記受信ユニットはさらに、
前記端末装置が前記ネットワーク装置から送信される前記複数のアップリンクリソースにそれぞれ対応する前記少なくとも１つの属性の優先度を受信するように構成されることを特徴とする、
請求項３０〜４９のいずれか一項に記載の端末装置。
【請求項５１】
前記複数のアップリンクリソースにそれぞれ対応する前記少なくとも１つの属性の優先度は、無線リソース制御（ＲＲＣ）シグナリングに搬送されることを特徴とする、
請求項５０に記載の端末装置。
【請求項５２】
前記複数のアップリンクリソースにそれぞれ対応する前記少なくとも１つの属性の優先度は、メディアアクセス制御（ＭＡＣ）シグナリングに搬送されることを特徴とする、
請求項５０に記載の端末装置。
【請求項５３】
前記複数のアップリンクリソースにそれぞれ対応する前記少なくとも１つの属性の優先度は、ダウンリンク制御情報（ＤＣＩ）に搬送されることを特徴とする、
請求項５０に記載の端末装置。
【請求項５４】
データを伝送するネットワーク装置であって、
伝送時間間隔（ＴＴＩ）の長さ、基本ヌメロロジー、アップリンク許可リソースからアップリンクリソースまでの時間間隔Ｋ２、半永続スケジューリング（ＳＰＳ）構成及び無線ネットワーク一時識別子（ＲＮＴＩ）のうちの少なくとも１つの属性のそれぞれの値に優先度を割り当てるように構成される割り当てユニットと、
前記各属性の値の優先度を前記端末装置に送信するように構成される送信ユニットとを備えることを特徴とする、前記ネットワーク装置。
【請求項５５】
前記各属性の値の優先度は、無線リソース制御（ＲＲＣ）シグナリングに搬送されることを特徴とする、
請求項５４に記載のネットワーク装置。
【請求項５６】
前記各属性の値の優先度は、メディアアクセス制御（ＭＡＣ）シグナリングに搬送されることを特徴とする、
請求項５４に記載のネットワーク装置。
【請求項５７】
前記各属性の値の優先度は、ダウンリンク制御情報（ＤＣＩ）に搬送されることを特徴とする、
請求項５４に記載のネットワーク装置。
【請求項５８】
前記少なくとも１つの属性は、複数の属性を含み、前記割り当てユニットはさらに、
前記複数の属性に優先度を割り当てるように構成され、
前記送信ユニットはさらに、
前記複数の属性の優先度を前記端末装置に送信するように構成されることを特徴とする、
請求項５４〜５７のいずれか一項に記載のネットワーク装置。
【発明の詳細な説明】
【技術分野】
【０００１】
本願の実施例は、通信分野に関し、より具体的には、データ伝送方法、端末装置及びネットワーク装置に関する。
【背景技術】
【０００２】
無線通信技術の継続的な進化に伴って、ロングタームエボリューション（ＬＴＥ：Ｌｏｎｇ  Ｔｅｒｍ  Ｅｖｏｌｕｔｉｏｎ）においてアップリンクリソースのタイプが単一であり、すなわち、一定の伝送時間間隔（ＴＴＩ：Ｔｒａｎｓｍｉｓｓｉｏｎ  Ｔｉｍｅ  Ｉｎｔｅｒｖａｌ）の長さ、一定の基本ヌメロロジー（Ｎｕｍｅｒｏｌｏｇｙ）、一定のアップリンク許可リソースからアップリンクリソースまでの時間間隔Ｋ２、一定の半永続スケジューリング（ＳＰＳ：Ｓｅｍｉ−Ｐｅｒｓｉｓｔｅｎｔ  Ｓｃｈｅｄｕｌｉｎｇ）構成等、一定の属性を採用するため、すべてのサービスを最適化できなく、従って、アップリンクデータ伝送の柔軟性を向上させることができる新たなデータ伝送方法が望まれている。
【発明の概要】
【発明が解決しようとする課題】
【０００３】
上記事情に鑑みて、本願の実施例は、アップリンクデータ伝送の柔軟性の向上に有利であるデータ伝送方法、端末装置及びネットワーク装置を提供する。
【課題を解決するための手段】
【０００４】
第１態様によれば、データ伝送方法を提供し、端末装置は、ネットワーク装置から送信されるＮ（Ｎは１よりも大きい正の整数である）個のアップリンク許可情報を受信することであって、該Ｎ個のアップリンク許可情報は、Ｎ個のアップリンクリソースを指示するために用いられ、該Ｎ個のアップリンクリソースのうち任意の２つのアップリンクリソースは少なくとも部分的に重なり、該Ｎ個のアップリンクリソースのうち任意の２つのアップリンクリソースにそれぞれ対応する少なくとも１つの属性の値は異なることと、該端末装置は、該Ｎ個のアップリンクリソースにそれぞれ対応する該少なくとも１つの属性の優先度に基づき、該Ｎ個のアップリンク許可情報を処理することとを含む。
【０００５】
リソース競合を有する複数のアップリンクリソースにそれぞれ対応する少なくとも１つの属性の優先度に基づき、対応するアップリンク許可情報を処理し、それによりアップリンクデータ伝送の柔軟性の向上に有利である。
【０００６】
アップリンクリソースの競合とは、異なるアップリンクリソースが時間領域及び／又は周波数領域において少なくとも部分的に重なることであってもよい。２つ以上のアップリンクリソースの重なりとは、これらのアップリンクリソースがすべて重なることであってもよく、２つごとに互いに重なることであってもよい。
【０００７】
ＮＲシステム中のアップリンクリソースは複数のタイプを有し、例えば、ＴＴＩ長さ、基本ヌメロロジー、アップリンク許可リソースからアップリンクリソースまでの時間間隔Ｋ２、ＳＰＳ構成又はＲＮＴＩ等の属性を有してもよい。
【０００８】
アップリンクリソースに対応する少なくとも１つの属性の優先度とは、特定の属性の複数の値の優先度であってもよく、各属性間の優先度であってもよい。
【０００９】
可能な実施形態では、該Ｎ個のアップリンクリソースにそれぞれ対応する該少なくとも１つの属性は、第１属性をすべて含み、且つ第１属性のみを含み、該Ｎ個のアップリンクリソースのうち少なくとも２つのアップリンクリソースにそれぞれ対応する第１属性の値は異なり、該Ｎ個のアップリンクリソースにそれぞれ対応する該少なくとも１つの属性の優先度は、該Ｎ個のアップリンクリソースにそれぞれ対応する第１属性の優先度であり、該端末装置が該Ｎ個のアップリンクリソースにそれぞれ対応する該少なくとも１つの属性の優先度に基づき、該Ｎ個のアップリンク許可情報を処理することは、該端末装置が該Ｎ個のアップリンクリソースにそれぞれ対応する第１属性の値の優先度に基づき、該Ｎ個のアップリンク許可情報を処理することを含む。
【００１０】
選択的に、ネットワーク装置は、ほかの属性に優先度が設定されているか否かにかかわらず、端末装置が、第１属性の優先度のみに基づき、アップリンク許可情報を処理するように構成されてもよい。
【００１１】
可能な実施形態では、該第１属性は、伝送時間間隔（ＴＴＩ）の長さ、基本ヌメロロジー、アップリンク許可リソースからアップリンクリソースまでの時間間隔、半永続スケジューリング（ＳＰＳ）構成又は無線ネットワーク一時識別子（ＲＮＴＩ）である。
【００１２】
可能な実施形態では、該端末装置が該Ｎ個のアップリンクリソースにそれぞれ対応する第１属性の値の優先度に基づき、該Ｎ個のアップリンク許可情報を処理することは、該端末装置が該Ｎ個のアップリンクリソースにそれぞれ対応する第１属性の値の優先度に基づき、該Ｎ個のアップリンク許可情報からＯ（Ｏは正の整数で、且つＯはＮ未満である）個のアップリンク許可情報を決定することと、該端末装置が該Ｏ個のアップリンク許可情報に基づき、該ネットワーク装置にアップリンクデータを送信することとを含む。
【００１３】
可能な実施形態では、該Ｎ個のアップリンクリソースにそれぞれ対応する該少なくとも１つの属性は、第２属性及び第３属性をすべて含み、該Ｎ個のアップリンクリソースのうち少なくとも２つのアップリンクリソースにそれぞれ対応する第２属性の値は異なり、該Ｎ個のアップリンクリソースのうち少なくとも２つのアップリンクリソースにそれぞれ対応する第３属性の値は異なり、該端末装置が該Ｎ個のアップリンクリソースにそれぞれ対応する該少なくとも１つの属性の優先度に基づき、該Ｎ個のアップリンク許可情報を処理することは、該端末装置は、順に該Ｎ個のアップリンクリソースにそれぞれ対応する第２属性の値の優先度及び該Ｎ個のアップリンクリソースにそれぞれ対応する第３属性の値の優先度に基づき、該Ｎ個のアップリンク許可情報を処理することを含む。
【００１４】
ネットワーク装置は、２種以上の属性に優先度を設定してもよく、端末装置は２種以上の属性の優先度を組み合わせてアップリンク許可情報を処理してもよい。
【００１５】
可能な実施形態では、該第２属性及び該第３属性は、伝送時間間隔（ＴＴＩ）の長さ、基本ヌメロロジー、アップリンク許可リソースからアップリンクリソースまでの時間間隔、半永続スケジューリング（ＳＰＳ）構成及び無線ネットワーク一時識別子（ＲＮＴＩ）のうちの任意の２つの属性の組み合わせである。
【００１６】
可能な実施形態では、該第２属性の優先度は、該第３属性の優先度よりも高く、該端末装置が順に該Ｎ個のアップリンクリソースにそれぞれ対応する第２属性の値の優先度及び該Ｎ個のアップリンクリソースにそれぞれ対応する第３属性の値の優先度に基づき、該Ｎ個のアップリンク許可情報を処理することは、該端末装置は、該Ｎ個のアップリンクリソースにそれぞれ対応する第２属性の値の優先度に基づき、該Ｎ個のアップリンク許可情報からＭ（Ｍは１よりも大きい正の整数で、且つＭはＮ未満である）個のアップリンク許可情報を決定することと、該端末装置は、該Ｍ個のアップリンク許可情報に一対一対応するＭ個のアップリンクリソースにそれぞれ対応する第３属性の値の優先度に基づき、該Ｍ個のアップリンク許可情報からＫ（Ｋは正の整数で、且つＫはＭ未満である）個のアップリンク許可情報を決定することであって、該Ｍ個のアップリンクリソースのうち少なくとも２つのアップリンクリソースにそれぞれ対応する第３属性の値は異なることと、該端末装置は該Ｋ個のアップリンク許可情報に基づき、該ネットワーク装置にアップリンクデータを送信することとを含む。
【００１７】
可能な実施形態では、該方法は、該端末装置が該ネットワーク装置から送信される該複数のアップリンクリソースにそれぞれ対応する該少なくとも１つの属性の優先度を受信することをさらに含む。
【００１８】
可能な実施形態では、該複数のアップリンクリソースにそれぞれ対応する該少なくとも１つの属性の優先度は、無線リソース制御（ＲＲＣ）シグナリング、メディアアクセス制御（ＭＡＣ）シグナリング又はダウンリンク制御情報（ＤＣＩ）に搬送される。
【００１９】
第２態様によれば、データ伝送方法を提供し、ネットワーク装置は、伝送時間間隔（ＴＴＩ）の長さ、基本ヌメロロジー、アップリンク許可リソースからアップリンクリソースまでの時間間隔Ｋ２、半永続スケジューリング（ＳＰＳ）構成及び無線ネットワーク一時識別子（ＲＮＴＩ）のうちの少なくとも１つの属性のそれぞれに優先度を割り当てることと、該ネットワーク装置は、該各属性の優先度を該端末装置に送信することとを含む。
【００２０】
可能な実施形態では、該優先度は無線リソース制御（ＲＲＣ）シグナリング、メディアアクセス制御（ＭＡＣ）シグナリング又はダウンリンク制御情報（ＤＣＩ）に搬送される。
【００２１】
可能な実施形態では、該少なくとも１つの属性は、複数の属性を含み、該方法は、該ネットワーク装置は該複数の属性に優先度を割り当てることと、該ネットワーク装置は該複数の属性の優先度を該端末装置に送信することとをさらに含む。
【００２２】
第３態様によれば、端末装置を提供し、該端末装置は、上記第１態様又は第１態様の可能な実施形態のいずれかに係る方法を実行するように構成される。具体的には、該端末装置は、上記第１態様又は第１態様の可能な実施形態のいずれかに係る方法を実行するように構成されるユニットを備える。
【００２３】
第４態様によれば、ネットワーク装置を提供し、該ネットワーク装置は、上記第２態様又は第２態様の可能な実施形態のいずれかに係る方法を実行するように構成される。具体的には、該ネットワーク装置は、上記第２態様又は第２態様の可能な実施形態のいずれかに係る方法を実行するように構成されるユニットを備える。
【００２４】
第５態様によれば、端末装置を提供し、該端末装置は、メモリ、プロセッサ、入力インタフェース及び出力インタフェースを備える。メモリ、プロセッサ、入力インタフェース及び出力インタフェースが、バスシステムによって接続される。該メモリは、命令を記憶するために使用され、該プロセッサは、該メモリに記憶される命令を実行し、上記第１態様又は第１態様の可能な実施形態のいずれかに係る方法を実行するように構成される。
【００２５】
第６態様によれば、ネットワーク装置を提供し、該ネットワーク装置は、メモリ、プロセッサ、入力インタフェース及び出力インタフェースを備える。メモリ、プロセッサ、入力インタフェース及び出力インタフェースが、バスシステムによって接続される。該メモリは、命令を記憶するために使用され、該プロセッサは、該メモリに記憶される命令を実行し、上記第２態様又は第２態様の可能な実施形態のいずれかに係る方法を実行するように構成される。
【００２６】
第７態様によれば、コンピュータ記憶媒体を提供し、上記第１態様又は第１態様の可能な実施形態のいずれかに係る方法、又は上記第２態様又は第２態様の可能な実施形態のいずれかに係る方法を実行するためのコンピュータソフトウェア命令を記憶するように構成され、上記態様を実行するために設計されるプログラムを含む。
【００２７】
第８態様によれば、命令を含むコンピュータプログラム製品を提供し、コンピュータによって実行される時、コンピュータに上記第１態様又は第１態様の実施形態のいずれかに記載の方法、又は上記第２態様又は第２態様の実施形態のいずれかに記載の方法を実行させる。
【００２８】
本願のこれらの態様又はほかの態様は、以下の実施例の説明によって分かりやすくなる。
【図面の簡単な説明】
【００２９】
【図１】本願の実施例の一適用シナリオの模式図を示す。
【図２】本願の実施例に係るデータ伝送の概略ブロック図を示す。
【図３】ＬＴＥ−ＦＤＤのエアインタフェースの例示的なタイミング図を示す。
【図４】本願の実施例に係るデータ伝送方法の別の概略ブロック図を示す。
【図５】本願の実施例に係る端末装置の概略ブロック図を示す。
【図６】本願の実施例に係るネットワーク装置の概略ブロック図を示す。
【図７】本願の実施例に係る端末装置の別の概略ブロック図を示す。
【図８】本願の実施例に係るネットワーク装置の別の概略ブロック図を示す。
【発明を実施するための形態】
【００３０】
以下、本願の実施例の図面を参照して本願の実施例の技術案を明確かつ完全に説明する。
【００３１】
なお、本願の実施例の技術案は、例えば、モバイル通信用グローバルシステム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波アクセスの世界的な相互運用性（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、ニューラジオ（ＮＲ：Ｎｅｗ  Ｒａｄｉｏ）又は将来の５Ｇシステム等の各種の通信システムに適用できる。
【００３２】
特に、本願の実施例の技術案は、非直交多元接続技術に基づく各種の通信システム、例えばスパース符号多元接続（ＳＣＭＡ：Ｓｐａｒｓｅ  Ｃｏｄｅ  Ｍｕｌｔｉｐｌｅ  Ａｃｃｅｓｓ）システム、低密度シグネチャ（ＬＤＳ：Ｌｏｗ  Ｄｅｎｓｉｔｙ  Ｓｉｇｎａｔｕｒｅ）システム等に適用でき、勿論、ＳＣＭＡシステム及びＬＤＳシステムは、通信分野においてほかの名称と呼んでもよく、更に、本願の実施例の技術案は非直交多元接続技術を採用したマルチキャリア伝送システム、例えば非直交多元接続技術を採用した直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルタバンクマルチキャリア（ＦＢＭＣ：Ｆｉｌｔｅｒ  Ｂａｎｋ  Ｍｕｌｔｉ−Ｃａｒｒｉｅｒ）、一般化周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルター処理された直交周波数分割多重（Ｆ−ＯＦＤＭ：Ｆｉｌｔｅｒｅｄ−ＯＦＤＭ）システム等に適用できる。
【００３３】
本願の実施例の端末装置は、ユーザ装置（ＵＥ：Ｕｓｅｒ  Ｅｑｕｉｐｍｅｎｔ）、アクセス端末、ユーザユニット、ユーザ局、移動局、移動ステーション、遠隔局、遠隔端末、移動装置、ユーザ端末、端末、無線通信装置、ユーザエージェント又はユーザ装置であってもよい。アクセス端末は、セルラーホン、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有するハンドヘルドデバイス、コンピューティング装置又は無線モデムに接続されるほかの処理装置、車載装置、ウェアラブル装置、将来の５Ｇネットワーク中の端末装置又は未来進化型公共陸上移動通信ネットワーク（ＰＬＭＮ：Ｐｕｂｌｉｃ  Ｌａｎｄ  Ｍｏｂｉｌｅ  Ｎｅｔｗｏｒｋ）中の端末装置等であってもよいが、本願の実施例はそれに限定されない。
【００３４】
本願の実施例のネットワーク装置は、端末装置と通信するための装置であってもよく、該ネットワーク装置は、ＧＳＭ又はＣＤＭＡ中の基地局（ＢＴＳ：Ｂａｓｅ  Ｔｒａｎｓｃｅｉｖｅｒ  Ｓｔａｔｉｏｎ）であってもよく、ＷＣＤＭＡシステム中の基地局（ＮＢ：ＮｏｄｅＢ）であってもよく、ＬＴＥシステム中の進化型基地局（ｅＮＢ又はｅＮｏｄｅＢ：Ｅｖｏｌｕｔｉｏｎａｌ  ＮｏｄｅＢ）であってもよく、クラウド無線アクセスネットワーク（ＣＲＡＮ：Ｃｌｏｕｄ  Ｒａｄｉｏ  Ａｃｃｅｓｓ  Ｎｅｔｗｏｒｋ）シナリオにおける無線コントローラであってもよく、又は該ネットワーク装置は中継局、アクセスポイント、車載装置、ウェアラブル装置、及び未来の５Ｇネットワーク中のネットワーク装置又は未来の進化型ＰＬＭＮネットワーク中のネットワーク装置等であってもよいが、本願の実施例はそれに限定されない。
【００３５】
図１は、本願の実施例の一適用シナリオの模式図を示す。図１中の通信システムは端末装置１０及びネットワーク装置２０を含み得る。ネットワーク装置２０は端末装置１０に通信サービスを提供し且つコアネットワークにアクセスされるように構成され、端末装置１０はネットワーク装置２０から送信される同期信号、ブロードキャスト信号等を検索してネットワークにアクセスしてネットワークとの通信を行う。図１に示される矢印は、端末装置１０とネットワーク装置２０との間のセルラーリンクによって行われるアップリンク／ダウンリンク伝送を表し得る。
【００３６】
本明細書において「システム」及び「ネットワーク」という用語は常に交換して使用されてもよいことを理解されたい。本明細書において、「及び／又は」という用語は単に関連対象を説明する関連関係であり、３種の関係が存在することを示し、例えば、Ａ及び／又はＢは、Ａのみが存在すること、Ａ及びＢが同時に存在すること、Ｂのみが存在することという３種の状況を含み、すなわちＡ又はＢのうちの少なくとも一方を示す。また、本明細書において、記号「／」は、一般的には前後の関連対象の「又は」の関係を示す。
【００３７】
図２は、本願の実施例に係るデータ伝送方法１００の概略ブロック図を示す。図２に示すように、該方法１００は、次のＳ１１０〜Ｓ１２０の一部又はすべてを含む。
【００３８】
Ｓ１１０では、端末装置は、ネットワーク装置から送信されるＮ（Ｎは１よりも大きい正の整数である）個のアップリンク許可情報を受信し、該Ｎ個のアップリンク許可情報は、Ｎ個のアップリンクリソースを指示するために用いられ、該Ｎ個のアップリンクリソースのうち任意の２つのアップリンクリソースは少なくとも部分的に重なり、該Ｎ個のアップリンクリソースのうち任意の２つのアップリンクリソースにそれぞれ対応する少なくとも１つの属性の値は異なる。
【００３９】
Ｓ１２０では、該端末装置は、該Ｎ個のアップリンクリソースにそれぞれ対応する前記少なくとも１つの属性の優先度に基づき、該Ｎ個のアップリンク許可情報を処理する。
【００４０】
従って、本願の実施例に係るデータ伝送方法は、リソース競合を有する複数のアップリンクリソースにそれぞれ対応する少なくとも１つの属性の優先度に基づき、対応するアップリンク許可情報を処理し、それによりアップリンクデータ伝送の柔軟性の向上に有利である。
【００４１】
通信技術の継続的な発展に伴って、将来の通信システムは多様なサービス種類を必要とし、ＬＴＥシステムでは、単一のアップリンクリソースタイプが既に通信ニーズを満たすことができなくなる。ＬＴＥシステムと異なり、アップリンク伝送の柔軟性を維持するために、ＮＲシステム中のアップリンクリソースは複数のタイプを有する可能性があり、例えば、伝送時間間隔（ＴＴＩ：Ｔｒａｎｓｍｉｓｓｉｏｎ  Ｔｉｍｅ  Ｉｎｔｅｒｖａｌ）の長さ、基本ヌメロロジー（Ｎｕｍｅｒｏｌｏｇｙ）、アップリンク許可リソースからアップリンクリソースまでの時間間隔Ｋ２、半永続スケジューリング（ＳＰＳ：Ｓｅｍｉ−Ｐｅｒｓｉｓｔｅｎｔ  Ｓｃｈｅｄｕｌｉｎｇ）構成又は無線ネットワーク一時識別子（ＲＮＴＩ：Ｒａｄｉｏ  Ｎｅｔｗｏｒｋ  Ｔｅｍｐｏｒｙ  Ｉｄｅｎｔｉｔｙ）等の複数の属性を有する可能性がある。
【００４２】
つまり、ネットワーク装置は端末装置に複数のアップリンクリソースのタイプを設定することができ、端末装置はアップリンク伝送時に１つのアップリンクリソースのタイプを選択してアップリンクリソースでアップリンク伝送を行うことができる。本願の実施例に係る異なるアップリンク許可によって指示されるアップリンクリソースの競合とは、異なるリソースが時間領域及び／又は周波数領域において少なくとも部分的に重なることであってもよい。例えば、アップリンクリソース１とアップリンクリソース２は時間領域において重なるが、現時刻で、端末装置は、アップリンクリソースの一部のみで伝送することを許容する場合、端末装置がこれらのアップリンクリソースを処理する必要がある。例えば、アップリンク伝送を行うリソース、及びアップリンク伝送を行わないリソースを選択する。２つよりも大きいアップリンクリソースの重なりとは、これらのアップリンクリソースがすべて重なることであってもよく、２つごとに互いに重なることであってもよく、本願の実施例では、それを限定しない。
【００４３】
本願の実施例では、ネットワーク装置は上記様々な属性の値に優先度を割り当て、例えば、上記ＴＴＩ長さが１ｍｓ、２ｍｓ、４ｍｓという３つの値を有すると仮定する場合、ネットワーク装置はこれら３つの値に優先度を割り当て、例えば、優先度は１ｍｓ＞２ｍｓ＞４ｍｓである。特定のアップリンクリソースに対応する複数の属性の優先度は該複数の属性のうち特定の属性の値の該属性における優先度であってもよく、複数の属性の優先度の総合結果であってもよい。例えば、アップリンクリソース１に対応するＴＴＩ長さは、アップリンクリソース２よりも優先し、アップリンクリソース１に対応するＫ２はアップリンクリソース２よりも優先し、ネットワーク装置がＴＴＩ長さのレベルをＫ２よりも高く構成する場合、端末装置はＴＴＩ長さの優先度を優先的に考慮し、ＴＴＩの優先度を考慮した上で、さらにＫ２の優先度を組み合わせて許容数のアップリンクリソースを更に選択してアップリンク伝送を行う。
【００４４】
ネットワーク装置は、端末装置にアップリンクリソースを構成する時、同時に端末装置に該アップリンクリソースに対応する属性を構成してもよい。ネットワーク装置は予め端末装置に複数のアップリンクリソースタイプを構成してもよく、端末装は自ら特定のアップリンクリソースに対応する属性を選択できる。
【００４５】
理解の便宜上、以下、上記属性を先に簡単に説明する。
【００４６】
伝送時間間隔（ＴＴＩ）とは、データを伝送するための時間領域リソース単位であってもよく、データは通常、１つのＴＴＩを基本伝送単位として伝送され、それによりデータ伝送ごとの継続時間をＴＴＩの整数倍にすることを確保する。
【００４７】
基本ヌメロロジーは、サブキャリア間隔、特定の帯域幅におけるサブキャリア数、物理リソースブロック（ＰＲＢ）中のサブキャリア数、直交周波数分割多重（ＯＦＤＭ）シンボルの長さ、ＯＦＤＭ信号を生成するためのフーリエ変換、例えば高速フーリエ変換（ＦＦＴ：Ｆａｓｔ  Ｆｏｕｒｉｅｒ  Ｔｒａｎｓｆｏｒｍ）又はフーリエ逆変換、例えば高速逆フーリエ変換（ＩＦＦＴ：Ｉｎｖｅｒｓｅ  Ｆａｓｔ  Ｆｏｕｒｉｅｒ  Ｔｒａｎｓｆｏｒｍ）のポイント数、伝送時間間隔（ＴＴＩ）におけるＯＦＤＭシンボル数、特定の時間に含まれるＴＴＩの数及び信号プレフィックスの長さのうちの少なくとも１つを含み得る。ここで、サブキャリア間隔とは、隣接するサブキャリアの周波数間隔、例えば１５ｋＨｚ、６０ｋＨｚ等であり、特定の帯域幅におけるサブキャリア数は、例えば可能なシステム帯域幅ごとに対応するサブキャリア数であり、ＰＲＢに含まれるサブキャリア数は、例えば典型的には１２の整数倍であってもよく、ＴＴＩに含まれるＯＦＤＭシンボル数は、例えば典型的には１４の整数倍であってもよく、特定の時間単位に含まれるＴＴＩ数とは１ｍｓ又は１０ｍｓの時間に含まれるＴＴＩ数であってもよく、信号プレフィックスの長さは、例えば信号のサイクリックプレフィックスの時間長さであり、又はサイクリックプレフィックスは通常のＣＰ又は拡張ＣＰを使用する。
【００４８】
通常、ＵＥはアップリンク許可に基づいてｅＮＢにアップリンクデータをスケジューリングし、すなわち、ｅＮＢはアップリンク許可（アップリンク許可情報は、割り当てられるエアインタフェースリソースのサイズ、再送指示、送信時刻等の情報を含む）によってＵＥによるアップリンク送信を制御し、従来のプロトコルでは、アップリンク送信タイミングが明確に定義されている。ＬＴＥ−ＦＤＤのエアインタフェースタイミングを例として、図３に示すように、ｅＮＢはｎサブフレームでアップリンク許可を送信し、ＵＥはｎサブフレームでアップリンク許可を受信してから、スケジューリングを開始してデータを用意し、ｎ＋４サブフレームで送信を開始し、ネットワーク装置はｎ＋４サブフレームでＵＥから送信されたデータを検出して検証し、ｎ＋８サブフレームで検証結果をＵＥにフィードバックする。ここで、ｎサブフレームとｎ＋４サブフレームとの間の時間間隔は、本願の実施例におけるＫ２である。ＮＲシステムでは、該Ｋ２は固定値ではなく、サービス特性に応じて、Ｋ２の値を柔軟に変更できる。
【００４９】
端末装置にサービスが多くない場合、ネットワーク装置は端末装置がネットワークにアクセスされる時に端末装置に半永続スケジューリングリソースを割り当てることができる。本願の実施例では、アップリンクリソースに対応する少なくとも１つの属性はＳＰＳ構成を含んでもよくＳＰＳ構成を含まなくてもよく、該ＳＰＳ構成はすべてのアップリンクリソースに対して同じであってもよい。
【００５０】
選択的に、本願の実施例では、該Ｎ個のアップリンクリソースにそれぞれ対応する前記少なくとも１つの属性はいずれも第１属性を含み、該Ｎ個のアップリンクリソースのうち少なくとも２つのアップリンクリソースにそれぞれ対応する第１属性の値は異なり、該Ｎ個のアップリンクリソースにそれぞれ対応する前記少なくとも１つの属性の優先度は、該Ｎ個のアップリンクリソースにそれぞれ対応する第１属性の値の優先度であり、該端末装置が該Ｎ個のアップリンクリソースにそれぞれ対応する前記少なくとも１つの属性の優先度に基づき、該Ｎ個のアップリンク許可情報を処理することは、該端末装置が該Ｎ個のアップリンクリソースにそれぞれ対応する第１属性の値の優先度に基づき、該Ｎ個のアップリンク許可情報を処理することを含む。
【００５１】
具体的には、ネットワーク装置がアップリンクリソースに対応する少なくとも１つの属性のうちの特定の属性の複数の値に優先度を設定すると、端末装置は各アップリンクリソースに対応する該属性の値の優先度に応じて、対応するアップリンク許可情報を処理できる。ここで、各アップリンクリソースに対応する該少なくとも１つの属性は、上記第１属性のみを含んでもよく、各アップリンクリソースに対応する該少なくとも１つの属性は、上記第１属性以外のほかの属性をさらに含んでもよく、且つネットワーク装置はほかの属性の複数の値に優先度を構成してもよく、ほかの属性の複数の値に優先度を構成しなくてもよい。ネットワーク装置は、ほかの属性の値に優先度が構成されているか否かにかかわらず、端末装置が第１属性の値の優先度のみに基づき、アップリンク許可情報を処理するように構成されてもよい。
【００５２】
選択的に、本願の実施例では、該第１属性はＴＴＩ長さ、基本ヌメロロジー、アップリンク許可リソースからアップリンクリソースまでの時間間隔、ＳＰＳスケジューリング構成及びＲＮＴＩのうちのいずれかの属性であってもよい。本願の実施例における少なくとも１つの属性は上記属性のうちの少なくとも１つの属性であってもよい。
【００５３】
選択的に、本願の実施例では、上記少なくとも１つの属性のそれぞれの値の優先度は、ネットワーク装置によって設定され又は再構成されてもよく、プロトコルに固定されてもよく、例えば、端末装置に予め設定され得る。ネットワーク装置によって設定される場合、無線リソース制御（ＲＲＣ：Ｒａｄｉｏ  Ｒｅｓｏｕｒｃｅ  Ｃｏｎｔｒｏｌ）シグナリング、メディアアクセス制御（ＭＡＣ：Ｍｅｄｉａ  Ａｃｃｅｓｓ  Ｃｏｎｔｒｏｌ）制御要素（ＣＥ：Ｃｏｎｔｒｏｌ  Ｅｌｅｍｅｎｔ）又はダウンリンク制御情報（ＤＣＩ：Ｄｏｗｎｌｉｎｋ  Ｃｏｎｔｒｏｌ  Ｉｎｆｏｒｍａｔｉｏｎ）によって端末装置に送信され得る。
【００５４】
選択的に、本願の実施例では、該端末装置は、該Ｎ個のアップリンクリソースにそれぞれ対応する第１属性の値の優先度に基づき、該Ｎ個のアップリンク許可情報を処理することは、該端末装置は該Ｎ個のアップリンクリソースにそれぞれ対応する第１属性の値の優先度に基づき、該Ｎ個のアップリンク許可情報からＯ（Ｏは正の整数で、且つＯはＮより小さい）個のアップリンク許可情報を決定することと、該端末装置は該Ｏ個のアップリンク許可情報に基づき、該ネットワーク装置にアップリンクデータを送信することとを含む。
【００５５】
時間領域において重なる部分がアップリンク許可情報で指示されるアップリンクリソースの一部のみでアップリンク伝送を行うことを許容する場合、端末装置はまず、各アップリンクリソースに対応する該少なくとも１つの属性のうちの優先度を構成した特定の属性の値の優先度に基づき、アップリンクリソースの一部を選択してアップリンク伝送を行い、例えば、選択されるアップリンクリソースの数は、端末装置が同時処理可能なアップリンク許可情報の数であり得る。端末装置が１つだけのアップリンク許可情報の処理を許容する場合、端末装置は第１属性の値の優先度が最も高いアップリンクリソースだけでアップリンク伝送を行うことができる。端末装置が複数のアップリンク許可情報の同時処理を許容する場合、端末装置は第１属性の値の優先度の降順で、許容される数のアップリンク許可情報を選択してアップリンクデータの伝送を行うことができる。
【００５６】
選択的に、本願の実施例では、該Ｎ個のアップリンクリソースにそれぞれ対応する該少なくとも１つの属性は、第２属性及び第３属性をすべて含み、該Ｎ個のアップリンクリソースのうち少なくとも２つのアップリンクリソースにそれぞれ対応する第２属性の値は異なり、該Ｎ個のアップリンクリソースのうち少なくとも２つのアップリンクリソースにそれぞれ対応する第３属性の値は異なり、該端末装置は、該Ｎ個のアップリンクリソースにそれぞれ対応する該少なくとも１つの属性の優先度に基づき、該Ｎ個のアップリンク許可情報を処理することは、該端末装置は、順に該Ｎ個のアップリンクリソースにそれぞれ対応する第２属性の値の優先度及び該Ｎ個のアップリンクリソースにそれぞれ対応する第３属性の値の優先度に基づき、該Ｎ個のアップリンク許可情報を処理することを含む。
【００５７】
具体的には、ネットワーク装置が上記複数の属性のそれぞれの値に優先度を割り当て、且つ各アップリンクリソースに対応する該少なくとも１つの属性がいずれも優先度を有する複数の属性を含む場合、端末装置はこれらの属性の値の優先度を組み合わせて対応するアップリンク許可情報を処理することができる。各アップリンクリソースに対応する該少なくとも１つの属性がＴＴＩ長さ及びＫ２をすべて含み、且つ少なくとも２つのアップリンクリソースに対応するＴＴＩ長さとＫ２が異なり、例えば、ＴＴＩ長さの優先度が１ｍｓ＞２ｍｓ＞４ｍｓであり、アップリンクリソース１に対応するＴＴＩ長さが１ｍｓ、アップリンクリソース２に対応するＴＴＩ長さが１ｍｓ、アップリンクリソース３に対応するＴＴＩ長さが１ｍｓ、アップリンクリソース４に対応するＴＴＩ長さが２ｍｓであり、Ｋ２の優先度が４ｍｓ＞８ｍｓであり、アップリンクリソース１に対応するＫ２が８ｍｓ、アップリンクリソース２に対応するＫ２が４ｍｓ、アップリンクリソース３に対応するＫ２が４ｍｓ、アップリンクリソース４に対応するＫ２が４ｍｓである場合、端末装置が現時刻に２個だけのアップリンク許可情報の処理を許容すると、端末装置はまずＴＴＩ長さの優先度に基づき３個のアップリンクリソース、すなわちアップリンクリソース１、アップリンクリソース２及びアップリンクリソース３を選択し、端末装置はさらにＫ２の優先度に基づき、選択された３個のアップリンクリソースからアップリンクリソース２及びアップリンクリソース３を選択し、つまり、端末装置は最終的にアップリンクリソース２及びアップリンクリソース３を選択してアップリンク伝送を行うことができる。
【００５８】
選択的に、本願の実施例では、該第２属性の優先度は該第３属性の優先度よりも高く、該端末装置は順に該Ｎ個のアップリンクリソースにそれぞれ対応する第２属性の値の優先度及び該Ｎ個のアップリンクリソースにそれぞれ対応する第３属性の値の優先度に基づき、該Ｎ個のアップリンク許可情報を処理することは、該端末装置は該Ｎ個のアップリンクリソースにそれぞれ対応する第２属性の値の優先度に基づき、該Ｎ個のアップリンク許可情報からＭ（Ｍは１よりも大きい正の整数で、且つＭはＮより小さい）個のアップリンク許可情報を決定することと、該端末装置は該Ｍ個のアップリンク許可情報に一対一対応するＭ個のアップリンクリソースにそれぞれ対応する第３属性の値の優先度に基づき、該Ｍ個のアップリンク許可情報からＫ（Ｋは正の整数で、且つＫはＭより小さい）個のアップリンク許可情報を決定ことであって、該Ｍ個のアップリンクリソースのうち少なくとも２つのアップリンクリソースにそれぞれ対応する第３属性の値は異なることと、該端末装置は該Ｋ個のアップリンク許可情報に基づき、該ネットワーク装置にアップリンクデータを送信することとを含む。
【００５９】
ネットワーク装置は、複数の属性のそれぞれの値に優先度を設定する場合、各属性の優先度を構成でき、例えば、上記ネットワーク装置はＴＴＩ長さに優先度を構成し、且つＫ２に優先度を構成し、ネットワーク装置は端末装置がまずＴＴＩ長さの優先度を用いてスクリーニングし、更にＫ２の優先度に基づき最終処理対象となるアップリンク許可情報を選択するように設定してもよい。
【００６０】
上記は２種の属性の値の優先度を組み合わせて本願の実施例を説明したが、本願の実施例はそれに限定されず、３種の属性の値の優先度の組み合わせや４種の属性の値の優先度の組み合わせ等であってもよい。
【００６１】
選択的に、本願の実施例では、上記第２属性及び第３属性はＴＴＩ長さ、基本ヌメロロジー、Ｋ２、ＳＰＳ構成及びＲＮＴＩのうちの任意の２種の属性の組み合わせであってもよい。
【００６２】
選択的に、本願の実施例では、該少なくとも１つの属性のうち特定の属性の値の優先度に基づいて選択されるアップリンク許可情報の数が端末装置に処理可能なアップリンク許可情報の数よりも大きく、つまり、該属性の値の優先度が最も高いアップリンク許可情報の数が端末装置の処理可能なアップリンク許可情報の数よりも大きい場合、端末装置は該属性の値の優先度が最も高いアップリンク許可情報から端末装置に処理可能な数だけ選択する。
【００６３】
選択的に、本願の実施例では、上記複数の優先度はネットワーク装置によって構成又は再構成されてもよく、プロトコルに固定されてもよく、例えば、端末装置に予め設定され得る。ネットワーク装置によって設定される場合、ＲＲＣシグナリング、ＭＡＣ制御要素ＣＥ又はＤＣＩによって端末装置に送信され得る。
【００６４】
図４は、本願の実施例に係るデータ伝送方法２００の概略ブロック図を示す。図４に示すように、該方法２００はＳ２１０〜Ｓ２２０の一部又はすべてを含む。
【００６５】
Ｓ２１０では、ネットワーク装置は、伝送時間間隔（ＴＴＩ）の長さ、基本ヌメロロジー、アップリンク許可リソースからアップリンクリソースまでの時間間隔Ｋ２、半永続スケジューリング（ＳＰＳ）構成及び無線ネットワーク一時識別子（ＲＮＴＩ）のうちの少なくとも１つの属性のそれぞれの値に優先度を割り当てる。
【００６６】
Ｓ２２０では、該ネットワーク装置は、該各属性の値の優先度を該端末装置に送信する。
【００６７】
従って、本願の実施例に係るデータ伝送方法によれば、アップリンクデータ伝送の柔軟性の向上に有利である。
【００６８】
選択的に、本願の実施例では、該各属性の値の優先度はＲＲＣシグナリング、ＭＡＣシグナリング又はＤＣＩシグナリングに搬送される。
【００６９】
選択的に、本願の実施例では、該少なくとも１つの属性は複数の属性を含み、該方法は、該ネットワーク装置は該複数の属性に優先度を割り当てることと、該ネットワーク装置は該複数の属性の優先度を該端末装置に送信することとをさらに含む。
【００７０】
ネットワーク装置側から説明されるネットワーク装置と端末装置との相互作用及び関連特性、機能等は、端末装置の関連特性、機能に対応することを理解されたい。そして、関連部分は上記方法１００では詳細に説明され、簡潔さのために、ここでは重複説明を省略する。
【００７１】
さらに、本願の各種の実施例では、上記各プロセスの番号は実行順序を示すものではなく、各プロセスの実行順序はその機能及び内部ロジックに応じて決定され、本願の実施例の実施過程を限定するものではないことを理解されたい。
【００７２】
以上、本願の実施例に係るデータ伝送方法を詳細に説明したが、以下、図５〜図８を参照して、本願の実施例に係るデータ伝送装置を説明し、方法の実施例で説明された技術的特徴は以下の装置の実施例にも適用できる。
【００７３】
図５は、本願の実施例に係る端末装置３００の概略ブロック図を示す。図５に示すように、該端末装置３００は、
ネットワーク装置から送信されるＮ（Ｎは１よりも大きい正の整数である）個のアップリンク許可情報を受信するように構成される受信ユニット３１０であって、該Ｎ個のアップリンク許可情報はＮ個のアップリンクリソースを指示するために用いられ、該Ｎ個のアップリンクリソースのうち任意の２つのアップリンクリソースは少なくとも部分的に重なり、該Ｎ個のアップリンクリソースのうち任意の２つのアップリンクリソースにそれぞれ対応する少なくとも１つの属性の値は異なる受信ユニット３１０と、
該Ｎ個のアップリンクリソースにそれぞれ対応する該少なくとも１つの属性の優先度に基づき、該Ｎ個のアップリンク許可情報を処理するように構成される処理ユニット３２０とを備える。
【００７４】
従って、本願の実施例に係る端末装置は、リソース競合を有する複数のアップリンクリソースにそれぞれ対応する少なくとも１つの属性の優先度に基づき対応するアップリンク許可情報を処理し、それによりアップリンクデータ伝送の柔軟性の向上に有利である。
【００７５】
選択的に、本願の実施例では、該Ｎ個のアップリンクリソースにそれぞれ対応する該少なくとも１つの属性は第１属性をすべて含み、且つ第１属性のみを含み、該Ｎ個のアップリンクリソースのうち少なくとも２つのアップリンクリソースにそれぞれ対応する第１属性の値は異なり、該Ｎ個のアップリンクリソースにそれぞれ対応する該少なくとも１つの属性の優先度は該Ｎ個のアップリンクリソースにそれぞれ対応する第１属性の値の優先度であり、該処理ユニットは具体的には、該Ｎ個のアップリンクリソースにそれぞれ対応する第１属性の値の優先度に基づき、該Ｎ個のアップリンク許可情報を処理するように構成される。
【００７６】
選択的に、本願の実施例では、該第１属性は伝送時間間隔（ＴＴＩ）の長さ、基本ヌメロロジー、アップリンク許可リソースからアップリンクリソースまでの時間間隔、半永続スケジューリング（ＳＰＳ）構成又は無線ネットワーク一時識別子（ＲＮＴＩ）である。
【００７７】
選択的に、本願の実施例では、該処理ユニットは具体的には、該Ｎ個のアップリンクリソースにそれぞれ対応する第１属性の値の優先度に基づき、該Ｎ個のアップリンク許可情報からＯ（Ｏは正の整数で、且つＯはＮより小さい）個のアップリンク許可情報を決定し、該Ｏ個のアップリンク許可情報に基づき、該ネットワーク装置にアップリンクデータを送信するように構成される。
【００７８】
選択的に、本願の実施例では、該Ｎ個のアップリンクリソースにそれぞれ対応する該少なくとも１つの属性は、第２属性及び第３属性をすべて含み、該Ｎ個のアップリンクリソースのうち少なくとも２つのアップリンクリソースにそれぞれ対応する第２属性の値は異なり、該Ｎ個のアップリンクリソースのうち少なくとも２つのアップリンクリソースにそれぞれ対応する第３属性の値は異なり、該処理ユニットは具体的には、順に該Ｎ個のアップリンクリソースにそれぞれ対応する第２属性の値の優先度及び該Ｎ個のアップリンクリソースにそれぞれ対応する第３属性の値の優先度に基づき、該Ｎ個のアップリンク許可情報を処理するように構成される。
【００７９】
選択的に、本願の実施例では、該第２属性及び該第３属性は、伝送時間間隔（ＴＴＩ）の長さ、基本ヌメロロジー、アップリンク許可リソースからアップリンクリソースまでの時間間隔、半永続スケジューリング（ＳＰＳ）構成及び無線ネットワーク一時識別子（ＲＮＴＩ）のうちの任意の２種の属性の組み合わせである。
【００８０】
選択的に、本願の実施例では、該第２属性の優先度は該第３属性の優先度よりも高く、該処理ユニットは具体的には、該Ｎ個のアップリンクリソースにそれぞれ対応する第２属性の値の優先度に基づき、該Ｎ個のアップリンク許可情報からＭ（Ｍは１よりも大きい正の整数で、且つＭはＮ未満である）個のアップリンク許可情報を決定し、該Ｍ個のアップリンク許可情報に一対一対応するＭ個のアップリンクリソースにそれぞれ対応する第３属性の値の優先度に基づき、該Ｍ個のアップリンク許可情報からＫ（Ｋは正の整数、且つＫはＭ未満である）個のアップリンク許可情報を決定し、該Ｍ個のアップリンクリソースのうち少なくとも２つのアップリンクリソースにそれぞれ対応する第３属性は異なり、該Ｋ個のアップリンク許可情報に基づき、該ネットワーク装置にアップリンクデータを送信するように構成される。
【００８１】
選択的に、本願の実施例では、該受信ユニットはさらに、該端末装置が該ネットワーク装置から送信される該複数のアップリンクリソースにそれぞれ対応する該少なくとも１つの属性の優先度を受信するように構成される。
【００８２】
選択的に、本願の実施例では、該複数のアップリンクリソースにそれぞれ対応する該少なくとも１つの属性の優先度は無線リソース制御（ＲＲＣ）シグナリング、メディアアクセス制御（ＭＡＣ）シグナリング又はダウンリンク制御情報（ＤＣＩ）に搬送される。
【００８３】
本願の実施例に係る端末装置３００は、本願の方法の実施例における端末装置に対応でき、且つ端末装置３００の各ユニットの上記及びほかの操作及び／又は機能はそれぞれ図２の方法における端末装置の対応するプロセスを実現するように構成されることを理解されたい。簡潔さのために、ここでは重複説明を省略する。
【００８４】
図６は、本願の実施例に係るネットワーク装置４００の概略ブロック図を示す。図６に示すように、該ネットワーク装置４００は、
伝送時間間隔（ＴＴＩ）の長さ、基本ヌメロロジー、アップリンク許可リソースからアップリンクリソースまでの時間間隔Ｋ２、半永続スケジューリング（ＳＰＳ）構成及び無線ネットワーク一時識別子（ＲＮＴＩ）のうちの少なくとも１つの属性のそれぞれの値に優先度を割り当てるように構成される割り当てユニット４１０と、
該各属性の値の優先度を該端末装置に送信するように構成される送信ユニット４２０とを備える。
【００８５】
従って、本願の実施例に係るネットワーク装置は、アップリンクデータ伝送の柔軟性の向上に有利である。
【００８６】
選択的に、本願の実施例では、該各属性の値の優先度は無線リソース制御（ＲＲＣ）シグナリング、メディアアクセス制御（ＭＡＣ）シグナリング又はダウンリンク制御情報（ＤＣＩ）に搬送される。
【００８７】
選択的に、本願の実施例では、該少なくとも１つの属性は複数の属性を含み、該割り当てユニットはさらに、該複数の属性に優先度を割り当てるように構成され、該送信ユニットはさらに、該複数の属性の優先度を該端末装置に送信するように構成される。
【００８８】
本願の実施例に係るネットワーク装置４００は、本願の方法の実施例におけるネットワーク装置に対応でき、且つネットワーク装置４００の各ユニットの上記及びほかの操作及び／又は機能はそれぞれ図４の方法におけるネットワーク装置の対応するプロセスを実現するように構成されることを理解された。簡潔さのために、ここでは重複説明を省略する。
【００８９】
図７に示すように、本願の実施例は端末装置５００をさらに提供し、該端末装置５００は、図５中の端末装置３００であってもよく、図２中の方法１００に対応する端末装置の内容を実行するように構成される。該端末装置５００は入力インタフェース５１０、出力インタフェース５２０、プロセッサ５３０及びメモリ５４０を備え、該入力インタフェース５１０、出力インタフェース５２０、プロセッサ５３０及びメモリ５４０がバスシステムによって接続される。該メモリ５４０はプログラム、命令又はコードを記憶するように構成される。該プロセッサ５３０は、該メモリ５４０におけるプログラム、命令又はコードを実行して、入力インタフェース５１０による信号受信、出力インタフェース５２０による信号送信及び上記方法の実施例における操作の実行を制御するように構成される。
【００９０】
従って、本願の実施例に係る端末装置は、リソース競合を有する複数のアップリンクリソースにそれぞれ対応する少なくとも１つの属性の優先度に基づき、対応するアップリンク許可情報を処理し、それによりアップリンクデータ伝送の柔軟性の向上に有利である。
【００９１】
本願の実施例では、該プロセッサ５３０は中央処理装置（ＣＰＵ：Ｃｅｎｔｒａｌ  Ｐｒｏｃｅｓｓｉｎｇ  Ｕｎｉｔ）であってもよく、ほかの汎用プロセッサ、デジタル信号プロセッサ、特定用途向け集積回路、フィールドプログラマブルゲートアレイ又はほかのプログラマブルロジックデバイス、ディスクリートゲート又はトランジスタロジック装置、ディスクリートハードウェアユニット等であってもよいことを理解されたい。汎用プロセッサは、マイクロプロセッサ又は任意の通常のプロセッサ等であり得る。
【００９２】
該メモリ５４０は読み出し専用メモリ及びランダムアクセスメモリを含み、プロセッサ５３０に命令及びデータを提供する。メモリ５４０の一部として、不揮発性ランダムアクセスメモリを含んでもよい。例えば、メモリ５４０はさらにデバイスタイプの情報を記憶してもよい。
【００９３】
実現プロセス中で、上記方法の各内容はプロセッサ５３０中のハードウェアの集積論理回路又はソフトウェア形態の命令によって実行できる。本願の実施例を参照して開示されている方法の内容は直接ハードウェアプロセッサによって実行され、又はプロセッサ中のハードウェア及びソフトウェアモジュールの組み合わせによって実行される。ソフトウェアモジュールは、ランダムアクセスメモリ、フラッシュメモリ、読み出し専用メモリ、プログラマブル読み出し専用メモリ又は電気的消去可能プログラマブルメモリ、レジスタなど本分野の成熟した記憶媒体に格納されてもよい。該記憶媒体はメモリ５４０に位置し、プロセッサ５３０はメモリ５４０中の情報を読み取り、そのハードウェアと組み合わせて上記方法の内容を実行する。重複を回避するために、ここでは詳細説明を省略する。
【００９４】
具体的な実施形態では、端末装置３００中の受信ユニットは図７中の入力インタフェース５１０によって実現でき、端末装置３００中の処理ユニットは図７中のプロセッサ５３０によって実現できる。
【００９５】
図８に示すように、本願の実施例はネットワーク装置６００をさらに提供し、該ネットワーク装置６００は図６中のネットワーク装置４００であってもよく、図４中の方法２００に対応するネットワーク装置の内容を実行するように構成される。該ネットワーク装置６００は、入力インタフェース６１０、出力インタフェース６２０、プロセッサ６３０及びメモリ６４０を備え、該入力インタフェース６１０、出力インタフェース６２０、プロセッサ６３０及びメモリ６４０がバスシステムによって接続される。該メモリ６４０はプログラム、命令又はコードを記憶するように構成される。該プロセッサ６３０は、該メモリ６４０におけるプログラム、命令又はコードを実行して、入力インタフェース６１０による信号受信、出力インタフェース６２０による信号送信及び上記方法の実施例における操作の実行を制御するように構成される。
【００９６】
従って、本願の実施例に係るネットワーク装置は、アップリンクデータ伝送の柔軟性の向上に有利である。
【００９７】
本願の実施例では、該プロセッサ６３０は中央処理装置（ＣＰＵ：Ｃｅｎｔｒａｌ  Ｐｒｏｃｅｓｓｉｎｇ  Ｕｎｉｔ）であってもよく、ほかの汎用プロセッサ、デジタル信号プロセッサ、特定用途向け集積回路、フィールドプログラマブルゲートアレイ又はほかのプログラマブルロジックデバイス、ディスクリートゲート又はトランジスタロジック装置、ディスクリートハードウェアユニット等であってもよいことを理解されたい。汎用プロセッサはマイクロプロセッサ又は任意の通常のプロセッサ等であり得る。
【００９８】
該メモリ６４０は、読み出し専用メモリ及びランダムアクセスメモリを含み、プロセッサ６３０に命令及びデータを提供する。メモリ６４０の一部として、不揮発性ランダムアクセスメモリを含んでもよい。例えば、メモリ６４０はさらにデバイスタイプの情報を記憶してもよい。
【００９９】
実現プロセス中で、上記方法の各内容はプロセッサ６３０中のハードウェアの集積論理回路又はソフトウェア形態の命令によって実行できる。本願の実施例を参照して開示されている方法の内容は直接ハードウェアプロセッサによって実行され、又はプロセッサ中のハードウェア及びソフトウェアモジュールの組み合わせによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタなど本分野の成熟した記憶媒体に格納されてもよい。該記憶媒体はメモリ６４０に位置し、プロセッサ６３０はメモリ６４０中の情報を読み取り、そのハードウェアと組み合わせて上記方法の内容を実行する。重複を回避するために、ここでは詳細説明を省略する。
【０１００】
具体的な実施形態では、ネットワーク装置４００の送信ユニットは図８中の出力インタフェース６２０によって実現できる。ネットワーク装置４００の割り当てユニットは図８中のプロセッサ６３０によって実現できる。
【０１０１】
当業者であれば、本明細書に開示されている実施例を参照して説明された各例のユニット及びアルゴリズムのステップを電子ハードウェア、又はコンピュータソフトウェアと電子ハードウェアとの組合せによって実現できると理解できる。これらの機能をハードウェアで実行するかソフトウェアで実行するかは、技術案の特定の応用及び設計制約条件に応じて決められる。当業者は本願の範囲を逸脱せずに、説明された機能を各特定の応用に応じて異なる方法で実現できる。
【０１０２】
当業者であれば、説明の便宜及び簡潔上、上記説明したシステム、装置及びユニットの具体的な動作プロセスは、上記方法の実施例の対応するプロセスを参照すればよいと理解できるため、ここでは詳細説明を省略する。
【０１０３】
本願により提供されるいくつかの実施例では、開示されているシステム、装置及び方法をほかの形態で実現できると理解すべきである。例えば、以上説明された装置の実施例は単に例示的なものであり、例えば、該ユニットの分割は、単に１つのロジック機能分割であり、実際の実装では別の分割方式を採用してもよく、例えば複数のユニット又は要素を別のシステムに結合又は集積し、又はいくつかの特徴を無視したり実行しなかったりする。また、表示又は検討された相互の結合又は直接結合又は通信接続はいくつかのインタフェース、装置又はユニットを介した間接結合又は通信接続であってもよく、電気的、機械的又はほかの形態としてもよい。
【０１０４】
前記分離部材として説明されたユニットは物理的に分離しているものであってもよく、物理的に分離しているものでなくてもよく、ユニットとして表示される部材は物理ユニットであってもよく物理ユニットでなくてもよく、すなわち、１つの場所に位置してもよく、複数のネットワークユニットに分散してもよい。実際の必要に応じて一部又はすべてのユニットを選択して本実施例の技術案の目的を実現することができる。
【０１０５】
また、本願の実施例の各々における各機能ユニットは１つの処理ユニットに集積されてもよく、別々に物理的に存在してもよく、２つ又は２つ以上のユニットは１つのユニットに集積されてもよい。
【０１０６】
前記機能はソフトウェア機能ユニットの形態で実現され独立した製品として販売又は使用される場合、コンピュータ可読記憶媒体に記憶される。このような理解に基づき、本願の技術案は本質的に又は従来技術に貢献する部分又は該技術案の一部はソフトウェア製品の形態で実施され得て、該コンピュータソフトウェア製品は記憶媒体に記憶され、コンピュータ装置（パーソナルコンピュータ、サーバ、又はネットワーク装置等）に本願の実施例の各々に係る方法の全て又は一部のステップ
を実行させるための複数の命令を含む。上記記憶媒体は、Ｕディスク、モバイルディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスクなどプロクラムコードを記憶可能な種々の媒体を含む。
【０１０７】
以上、本願の具体的な実施形態を説明したが、本願の保護範囲はそれに限定されるものではなく、当業者が本願に開示されている技術範囲を逸脱せずに容易に想到し得る変更や置換はすべて本願の保護範囲に属する。従って、本願の保護範囲は特許請求の範囲の保護範囲に準じるべきである。
【図１】
2021510240.tif 000003
【図２】
2021510240.tif 000004
【図３】
2021510240.tif 000005
【図４】
2021510240.tif 000006
【図５】
2021510240.tif 000007
【図６】
2021510240.tif 000008
【図７】
2021510240.tif 000009
【図８】
2021510240.tif 000010
【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
データ伝送方法であって、
端末装置は、ネットワーク装置から送信されるＮ（Ｎは１よりも大きい正の整数である）個のアップリンク許可情報を受信することであって、前記Ｎ個のアップリンク許可情報は、Ｎ個のアップリンクリソースを指示するために用いられ、前記Ｎ個のアップリンクリソースのうち任意の２つのアップリンクリソースは少なくとも部分的に重なり、前記Ｎ個のアップリンクリソースのうち任意の２つのアップリンクリソースにそれぞれ対応する少なくとも１つの属性の値は異なることと、
前記端末装置は、前記Ｎ個のアップリンクリソースにそれぞれ対応する前記少なくとも１つの属性の優先度に基づき、前記Ｎ個のアップリンク許可情報を処理することとを含むことを特徴とする、前記データ伝送方法。
【請求項２】
前記Ｎ個のアップリンクリソースにそれぞれ対応する前記少なくとも１つの属性は、第１属性をすべて含み、且つ第１属性のみを含み、前記Ｎ個のアップリンクリソースのうち少なくとも２つのアップリンクリソースにそれぞれ対応する第１属性の値は異なり、前記Ｎ個のアップリンクリソースにそれぞれ対応する前記少なくとも１つの属性の優先度は、前記Ｎ個のアップリンクリソースにそれぞれ対応する第１属性の値の優先度であり、前記端末装置は、前記Ｎ個のアップリンクリソースにそれぞれ対応する前記少なくとも１つの属性の優先度に基づき、前記Ｎ個のアップリンク許可情報を処理することは、
前記端末装置は、前記Ｎ個のアップリンクリソースにそれぞれ対応する第１属性の値の優先度に基づき、前記Ｎ個のアップリンク許可情報を処理することを含むことを特徴とする、
請求項１に記載の方法。
【請求項３】
前記第１属性は、伝送時間間隔（ＴＴＩ）の長さであり、または、
基本ヌメロロジーであり、または、
アップリンク許可リソースからアップリンクリソースまでの時間間隔であり、または、
半永続スケジューリング（ＳＰＳ）構成であり、または、
無線ネットワーク一時識別子（ＲＮＴＩ）であることを特徴とする、
請求項２に記載の方法。
【請求項４】
前記端末装置は、前記Ｎ個のアップリンクリソースにそれぞれ対応する第１属性の値の優先度に基づき、前記Ｎ個のアップリンク許可情報を処理することは、
前記端末装置は、前記Ｎ個のアップリンクリソースにそれぞれ対応する第１属性の値の優先度に基づき、前記Ｎ個のアップリンク許可情報からＯ（Ｏは正の整数で、且つＯはＮ未満である）個のアップリンク許可情報を決定することと、
前記端末装置は、前記Ｏ個のアップリンク許可情報に基づき、前記ネットワーク装置にアップリンクデータを送信することとを含むことを特徴とする、
請求項２または３に記載の方法。
【請求項５】
前記Ｎ個のアップリンクリソースにそれぞれ対応する前記少なくとも１つの属性は、第２属性及び第３属性をすべて含み、前記Ｎ個のアップリンクリソースのうち少なくとも２つのアップリンクリソースにそれぞれ対応する第２属性の値は異なり、前記Ｎ個のアップリンクリソースのうち少なくとも２つのアップリンクリソースにそれぞれ対応する第３属性の値は異なり、前記端末装置は、前記Ｎ個のアップリンクリソースにそれぞれ対応する前記少なくとも１つの属性の優先度に基づき、前記Ｎ個のアップリンク許可情報を処理することは、
前記端末装置は、順に前記Ｎ個のアップリンクリソースにそれぞれ対応する第２属性の値の優先度及び前記Ｎ個のアップリンクリソースにそれぞれ対応する第３属性の値の優先度に基づき、前記Ｎ個のアップリンク許可情報を処理することを含むことを特徴とする、
請求項１に記載の方法。
【請求項６】
前記第２属性の優先度は、前記第３属性の優先度よりも高く、前記端末装置は、順に前記Ｎ個のアップリンクリソースにそれぞれ対応する第２属性の値の優先度及び前記Ｎ個のアップリンクリソースにそれぞれ対応する第３属性の値の優先度に基づき、前記Ｎ個のアップリンク許可情報を処理することは、
前記端末装置は、前記Ｎ個のアップリンクリソースにそれぞれ対応する第２属性の値の優先度に基づき、前記Ｎ個のアップリンク許可情報からＭ（Ｍは１よりも大きい正の整数で、且つＭはＮ未満である）個のアップリンク許可情報を決定することと、
前記端末装置は、前記Ｍ個のアップリンク許可情報に一対一対応するＭ個のアップリンクリソースにそれぞれ対応する第３属性の値の優先度に基づき、前記Ｍ個のアップリンク許可情報からＫ（Ｋは正の整数で、且つＫはＭ未満である）個のアップリンク許可情報を決定することであって、前記Ｍ個のアップリンクリソースのうち少なくとも２つのアップリンクリソースにそれぞれ対応する第３属性の値は異なることと、
前記端末装置は、前記Ｋ個のアップリンク許可情報に基づき、前記ネットワーク装置にアップリンクデータを送信することとを含むことを特徴とする、
請求項５に記載の方法。
【請求項７】
端末装置であって、
ネットワーク装置から送信されるＮ（Ｎは１よりも大きい正の整数である）個のアップリンク許可情報を受信するように構成される受信ユニットであって、前記Ｎ個のアップリンク許可情報はＮ個のアップリンクリソースを指示するために用いられ、前記Ｎ個のアップリンクリソースのうち任意の２つのアップリンクリソースは少なくとも部分的に重なり、前記Ｎ個のアップリンクリソースのうち任意の２つのアップリンクリソースにそれぞれ対応する少なくとも１つの属性の値は異なる受信ユニットと、
前記Ｎ個のアップリンクリソースにそれぞれ対応する前記少なくとも１つの属性の優先度に基づき、前記Ｎ個のアップリンク許可情報を処理するように構成される処理ユニットとを備えることを特徴とする、前記端末装置。
【請求項８】
前記Ｎ個のアップリンクリソースにそれぞれ対応する前記少なくとも１つの属性は、第１属性をすべて含み、且つ第１属性のみを含み、前記Ｎ個のアップリンクリソースのうち少なくとも２つのアップリンクリソースにそれぞれ対応する第１属性の値は異なり、前記Ｎ個のアップリンクリソースにそれぞれ対応する前記少なくとも１つの属性の優先度は、前記Ｎ個のアップリンクリソースにそれぞれ対応する前記第１属性の優先度であり、前記処理ユニットは具体的には、
前記Ｎ個のアップリンクリソースにそれぞれ対応する第１属性の値の優先度に基づき、前記Ｎ個のアップリンク許可情報を処理するように構成されることを特徴とする、
請求項７に記載の端末装置。
【請求項９】
前記第１属性は、伝送時間間隔（ＴＴＩ）の長さであり、または、
基本ヌメロロジーであり、または、
アップリンク許可リソースからアップリンクリソースまでの時間間隔であり、または、
半永続スケジューリング（ＳＰＳ）構成であり、または、
無線ネットワーク一時識別子（ＲＮＴＩ）であることを特徴とする、
請求項８に記載の端末装置。
【請求項１０】
前記処理ユニットは具体的には、
前記Ｎ個のアップリンクリソースにそれぞれ対応する第１属性の値の優先度に基づき、前記Ｎ個のアップリンク許可情報からＯ（Ｏは正の整数で、且つＯはＮ未満である）個のアップリンク許可情報を決定し、
前記Ｏ個のアップリンク許可情報に基づき、前記ネットワーク装置にアップリンクデータを送信するように構成されることを特徴とする、
請求項８または９に記載の端末装置。
【請求項１１】
前記Ｎ個のアップリンクリソースにそれぞれ対応する前記少なくとも１つの属性は、第２属性及び第３属性をすべて含み、前記Ｎ個のアップリンクリソースのうち少なくとも２つのアップリンクリソースにそれぞれ対応する第２属性の値は異なり、前記Ｎ個のアップリンクリソースのうち少なくとも２つのアップリンクリソースにそれぞれ対応する第３属性の値は異なり、前記処理ユニットは具体的には、
順に前記Ｎ個のアップリンクリソースにそれぞれ対応する第２属性の値の優先度及び前記Ｎ個のアップリンクリソースにそれぞれ対応する第３属性の値の優先度に基づき、前記Ｎ個のアップリンク許可情報を処理するように構成されることを特徴とする、
請求項７に記載の端末装置。
【請求項１２】
前記第２属性は、伝送時間間隔（ＴＴＩ）の長さであり、前記第３属性は、基本ヌメロロジーであり、または、
前記第２属性は、伝送時間間隔（ＴＴＩ）の長さであり、前記第３属性は、アップリンク許可リソースからアップリンクリソースまでの時間間隔であり、または、
前記第２属性は、伝送時間間隔（ＴＴＩ）の長さであり、前記第３属性は、半永続スケジューリング（ＳＰＳ）構成であり、または、
前記第２属性は、伝送時間間隔（ＴＴＩ）の長さであり、前記第３属性は、無線ネットワーク一時識別子（ＲＮＴＩ）であり、または、
前記第２属性は、基本ヌメロロジーであり、前記第３属性は、アップリンク許可リソースからアップリンクリソースまでの時間間隔であり、または、
前記第２属性は、基本ヌメロロジーであり、前記第３属性は、半永続スケジューリング（ＳＰＳ）構成であり、または、
前記第２属性は、基本ヌメロロジーであり、前記第３属性は、無線ネットワーク一時識別子（ＲＮＴＩ）であり、または、
前記第２属性は、アップリンク許可リソースからアップリンクリソースまでの時間間隔であり、前記第３属性は、半永続スケジューリング（ＳＰＳ）構成であり、または、
前記第２属性は、アップリンク許可リソースからアップリンクリソースまでの時間間隔であり、前記第３属性は、無線ネットワーク一時識別子（ＲＮＴＩ）であり、または、
前記第２属性は、半永続スケジューリング（ＳＰＳ）構成であり、前記第３属性は、無線ネットワーク一時識別子（ＲＮＴＩ）であることを特徴とする、
請求項１１に記載の端末装置。
【請求項１３】
前記第２属性の優先度は、前記第３属性の優先度よりも高く、前記処理ユニットは具体的には、
前記Ｎ個のアップリンクリソースにそれぞれ対応する第２属性の値の優先度に基づき、前記Ｎ個のアップリンク許可情報からＭ（Ｍは１よりも大きい正の整数で、且つＭはＮ未満である）個のアップリンク許可情報を決定し、
前記Ｍ個のアップリンク許可情報に一対一対応するＭ個のアップリンクリソースにそれぞれ対応する第３属性の値の優先度に基づき、前記Ｍ個のアップリンク許可情報からＫ（Ｋは正の整数で、且つＫはＭ未満である）個のアップリンク許可情報を決定し、前記Ｍ個のアップリンクリソースのうち少なくとも２つのアップリンクリソースにそれぞれ対応する第３属性の値は異なり、
前記Ｋ個のアップリンク許可情報に基づき、前記ネットワーク装置にアップリンクデータを送信するように構成されることを特徴とする、
請求項１１または１２に記載の端末装置。
【請求項１４】
前記受信ユニットはさらに、
前記端末装置が前記ネットワーク装置から送信される前記複数のアップリンクリソースにそれぞれ対応する前記少なくとも１つの属性の優先度を受信するように構成されることを特徴とする、
請求項７〜１３のいずれか一項に記載の端末装置。
【請求項１５】
データを伝送するネットワーク装置であって、
伝送時間間隔（ＴＴＩ）の長さ、基本ヌメロロジー、アップリンク許可リソースからアップリンクリソースまでの時間間隔Ｋ２、半永続スケジューリング（ＳＰＳ）構成及び無線ネットワーク一時識別子（ＲＮＴＩ）のうちの少なくとも１つの属性のそれぞれの値に優先度を割り当てるように構成される割り当てユニットと、
前記各属性の値の優先度を前記端末装置に送信するように構成される送信ユニットとを備えることを特徴とする、前記ネットワーク装置。
【国際調査報告】
2021510240.tif 000011
2021510240.tif 000012
2021510240.tif 000013
2021510240.tif 000014